(57)【要約】開示の内容はサービスバルブに冷媒管をワンタッチ方式でシーリング状態で接合連結するためのエアコン室外機用樹脂コーティングアルミニウム配管連結具に関するものであり、本明細書の一実施例によるエアコン室外機用樹脂コーティングアルミニウム配管連結具は、端部に拡管部が形成されるアルミニウム材の冷媒管と、端部に第１傾斜面が形成され、外周面に第１ネジ部が形成される連結ポートを含むサービスバルブと、前記第１傾斜面に対応する傾斜面の内周面の一端に形成され、内周面の他端に第１係止段が形成される第１圧縮リングと、前記拡管部に対応する第２−１傾斜面が内側に形成され、前記第２−１傾斜面の上部に収容側壁が延設される第２圧縮リングと、前記第１係止段に対応する第２係止段が外周面に形成され、前記収容側壁に下端が収容され、前記第１及び第２圧縮リングの相互密着面の間の隙間をシーリング処理し、前記第１及び第２圧縮リングと冷媒管の拡管部が互いに接触することを遮断するためのシーリング材と、前記第１ネジ部に対応する第２ネジ部が内周面の入口側に形成され、前記第１及び第２圧縮リングが着座する着座部が前記第２ネジ部の下に形成される締結具と、を備える。【選択図】  図４
2021515176.tif 000002
【特許請求の範囲】
【請求項１】
端部に拡管部が形成されるアルミニウム材の冷媒管と、
端部に第１傾斜面が形成され、外周面に第１ネジ部が形成される連結ポートを含むサービスバルブと、
前記第１傾斜面に対応する傾斜面の内周面の一端に形成され、内周面の他端に第１係止段が形成される第１圧縮リングと、
前記拡管部に対応する第２−１傾斜面が内側に形成され、前記第２−１傾斜面の上部に収容側壁が延設される第２圧縮リングと、
前記第１係止段に対応する第２係止段が外周面に形成され、前記収容側壁に下端が収容され、前記第１及び第２圧縮リングの相互密着面の間の隙間をシーリング処理し、前記第１及び第２圧縮リングと冷媒管の拡管部が互いに接触することを遮断するためのシーリング材と、
前記第１ネジ部に対応する第２ネジ部が内周面の入口側に形成され、前記第１及び第２圧縮リングが着座する着座部が前記第２ネジ部の下に形成される締結具と、を備えることを特徴とする、エアコン室外機用樹脂コーティングアルミニウム配管連結具。
【請求項２】
アルミニウム材の冷媒管と、
中央の貫通ホールの外側に形成される第１係止段と、前記第１係止段の外側端に形成される傾斜面と、前記傾斜面の外側端に形成される第２係止段と、外周面に第１ネジ部が形成される連結ポートとを含むサービスバルブと、
前記サービスバルブの傾斜面に対応する傾斜面が外周面の一端に形成され、圧縮時に前記冷媒管と連結ポートとの間の隙間をシーリング処理するための第１圧縮リングと、
前記第１圧縮リングが着座するように内周面に形成される係止段と、前記係止段の下に形成され、圧縮時に前記冷媒管の半径方向に弾性変形して冷媒管が離脱することを防止するための加圧片とを含み、前記サービスバルブの第２係止段に上端が着座する第２圧縮リングと、
前記第１ネジ部に対応する第２ネジ部が内周面の入口側に形成され、中央に前記冷媒管が貫通するように形成される貫通ホールと、前記貫通ホールの内側端に形成され、前記第２圧縮リングの傾斜面に対応する傾斜面とを含む締結具と、を備えることを特徴とする、エアコン室外機用樹脂コーティングアルミニウム配管連結具。
【請求項３】
前記サービスバルブの連結ポートに前記締結具を締結する場合、圧縮力によって前記第２圧縮リングの加圧片に加わる弾性変形量を増大させることができるように、前記係止段と加圧片との間に形成される凹溝をさらに備えることを特徴とする、請求項２に記載のエアコン室外機用樹脂コーティングアルミニウム配管連結具。
【請求項４】
前記サービスバルブの連結ポートに前記締結具を締結する場合、前記第２圧縮リングの加圧片で発生する弾性変形量を増大させることができるように、前記凹溝及び加圧片の１ヶ所以上に切開形成されるスロットをさらに備えることを特徴とする、請求項３に記載のエアコン室外機用樹脂コーティングアルミニウム配管連結具。
【請求項５】
前記冷媒管の端部に結合され、前記冷媒管の端部とこれに密着する前記連結ポートの第１係止段との間の隙間を通して冷媒が漏出することを防止するためのシーリング材をさらに備えることを特徴とする、請求項２に記載のエアコン室外機用樹脂コーティングアルミニウム配管連結具。
【発明の詳細な説明】
【技術分野】
【０００１】
本明細書はエアコン室外機用配管連結具に関するもので、より具体的に説明すれば、室外機のサービスバルブに冷媒管（樹脂アルミニウム配管を言う）をワンタッチ方式でシーリング状態で接合連結するためのエアコン室外機用樹脂コーティングアルミニウム配管連結具に関するものである。
【背景技術】
【０００２】
本明細書で他に表示しない限り、このセクションで説明する内容はこの出願の請求範囲に対する従来技術ではなく、このセクションに含まれると言っても従来技術と認められるものではない。
【０００３】
一般的に、エアコンの冷媒配管、ガス配管などの各種の配管を所定の機械装置に連結するためには配管の連結構造が必要である。
【０００４】
このような配管の連結構造は基本的に内部流体の漏水又は漏洩を防止しなければならなく、振動や外部衝撃によって弛緩されてはいけないなどの条件を満たさなければならない。
【０００５】
一例として、配管の連結構造は配管の端部をラッパ管のように拡管させ、拡管部を挟んだ状態でナットとボルトを互いに結合して締め付けることにより、拡管部がボルトの先端部に密着することによって気密を維持することができる。
【０００６】
図面には図示されていないが、配管（エアコンの冷媒配管）の拡管部とボルトとの間に合成樹脂材などから成形されるスリーブを介在して接合連結することになり、配管を接合連結する作業現場で作業者がナットとボルトを互いに結合して締結するとき、必要以上の力を加えて締結することになる。
【０００７】
これにより、ボルトの先端部と接触するスリーブが必要以上の外力を受けて形状変形（クラック又は潰れ発生）が発生する場合、形状変形によって隙間が発生し、隙間を通して冷媒が漏出し得る問題点を有する。
【発明の概要】
【発明が解決しようとする課題】
【０００８】
本明細書の実施例は、サービスバルブと冷媒管を接合連結するために締結させる場合、冷媒管の拡管部及びこれを支持する圧縮リングの破損によって発生する隙間を通して冷媒が漏出することを防止することができるようにした、エアコン室外機用樹脂コーティングアルミニウム配管連結具に係わる。
【０００９】
本明細書の実施例は、冷媒管を接合連結する作業経験の不足な作業者が冷媒管の拡管部及びこれを支持する圧縮リングを破損させずに容易に接合連結することができるようにした、エアコン室外機用樹脂コーティングアルミニウム配管連結具に係わる。
【００１０】
本明細書の実施例は、異種素材の圧縮リングと冷媒管が互いに接触してガルバニック（ｇａｌｖａｎｉｃ）腐食することを防止することができるようにした、エアコン室外機用樹脂コーティングアルミニウム配管連結具に係わる。
【課題を解決するための手段】
【００１１】
前記及びその他の本明細書の目的を達成するために、本明細書の一実施例によれば、端部に拡管部が形成されるアルミニウム材の冷媒管と、端部に第１傾斜面が形成され、外周面に第１ネジ部が形成される連結ポートを含むサービスバルブと、前記第１傾斜面に対応する傾斜面の内周面の一端に形成され、内周面の他端に第１係止段が形成される第１圧縮リングと、前記拡管部に対応する第２−１傾斜面が内側に形成され、前記第２−１傾斜面の上部に収容側壁が延設される第２圧縮リングと、前記第１係止段に対応する第２係止段が外周面に形成され、前記収容側壁に下端が収容され、前記第１及び第２圧縮リングの相互密着面の間の隙間をシーリング処理し、前記第１及び第２圧縮リングと冷媒管の拡管部が互いに接触することを遮断するためのシーリング材と、前記第１ネジ部に対応する第２ネジ部が内周面の入口側に形成され、前記第１及び第２圧縮リングが着座する着座部が前記第２ネジ部の下に形成される締結具と、を備えることを特徴とするエアコン室外機用樹脂コーティングアルミニウム配管連結具を提供する。
【００１２】
前記及びその他の本明細書の目的を達成するために、本明細書の他の実施例によれば、アルミニウム材の冷媒管と、中央の貫通ホールの外側に形成される第１係止段と、前記第１係止段の外側端に形成される傾斜面と、前記傾斜面の外側端に形成される第２係止段と、外周面に第１ネジ部が形成される連結ポートとを含むサービスバルブと、前記サービスバルブの傾斜面に対応する傾斜面が外周面の一端に形成され、圧縮時に前記冷媒管と連結ポートとの間の隙間をシーリング処理するための第１圧縮リングと、前記第１圧縮リングが着座するように内周面に形成される係止段と、前記係止段の下に形成され、圧縮時に前記冷媒管の半径方向に弾性変形して冷媒管が離脱することを防止するための加圧片とを含み、前記サービスバルブの第２係止段に上端が着座する第２圧縮リングと、前記第１ネジ部に対応する第２ネジ部が内周面の入口側に形成され、中央に前記冷媒管が貫通するように形成される貫通ホールと、前記貫通ホールの内側端に形成され、前記第２圧縮リングの傾斜面に対応する傾斜面とを含む締結具とを備えることを特徴とするエアコン室外機用樹脂コーティングアルミニウム配管連結具を提供する。
【発明の効果】
【００１３】
前述した構成を有する本明細書の実施例によるエアコン室外機用樹脂コーティングアルミニウム配管連結具は以下のような利点を有する。
【００１４】
サービスバルブと冷媒管を接合連結するために締結具を螺合して締結させる場合、冷媒管の拡管部及びこれを支持する圧縮リングが必要以上の圧力で締結されて破損されることを防止することにより、隙間を通して冷媒が漏出することを防止することができる。
【００１５】
また、冷媒管を接合連結する作業経験の不足な素人の場合にも冷媒管の拡管部及びこれを支持する圧縮リングを破損させずに容易に接合連結することができ、作業性を向上させることができる。
【００１６】
また、異種素材からなる黄銅材の圧縮リングとアルミニウム材の冷媒管が互いに接触することを遮断することにより、ガルバニック（ｇａｌｖａｎｉｃ）腐食することを防止することができ、使用寿命を延ばすことができる。
【図面の簡単な説明】
【００１７】
【図１】本明細書の好適な一実施例によるエアコン室外機用樹脂コーティングアルミニウム配管連結具の概略図である。
【図２】図１に示す配管連結具の断面図である。
【図３】本明細書の他の実施例によるエアコン室外機用樹脂コーティングアルミニウム配管連結具の概略図である。
【図４】図３に示す配管連結具の断面図である。
【発明を実施するための形態】
【００１８】
以下、添付図面に基づいて本明細書の好適な実施例によるエアコン室外機用樹脂コーティングアルミニウム配管連結具を詳細に説明する。
【００１９】
図１及び図２を参照すると、本明細書の一実施例によるエアコン室外機用樹脂コーティングアルミニウム配管連結具は、
端部に拡管部１０が形成されるアルミニウム（Ａｌ）材の冷媒管１１（外周面に銅材のコーティング層が形成される）と、
端部に第１傾斜面１２が形成され、外周面に第１ネジ部１３が形成される連結ポート１４を含む室外機用サービスバルブ１５と、
第１傾斜面１２に対応する傾斜面３１が内周面の一端に形成され、内周面の他端に第１係止段２３ｂが形成される第１圧縮リング２３と、
拡管部１０に対応する第２−１傾斜面２４ａが内側に形成され、第２−１傾斜面２４ａの上部に収容側壁２４ｃが延設される第２圧縮リング２４と、
第１係止段２３ｂに対応する第２係止段３０ａが外周面に形成され、収容側壁２４ｃに下端が収容され、第１及び第２圧縮リング２３、２４の対応密着面間の隙間をシーリング処理し、第１及び第２圧縮リング２３、２４と冷媒管１１の拡管部１０が互いに接触することを遮断するためのシーリング材３０（一例として、圧縮時に弾性変形するテフロン（登録商標）材から形成されることができる）と、
第１ネジ部１３に対応する第２ネジ部１９が内周面の入口側に形成され、第１及び第２圧縮リング２３、２４が着座する着座部２０が第２ネジ部１９の下に形成される締結具２２と、を備える。
【００２０】
前述した構成を有する本明細書の一実施例によるエアコン室外機用樹脂コーティングアルミニウム配管連結具によれば、
図１及び図２のように、拡管部１０が端部に形成された冷媒管１１を第１及び第２圧縮リング２３、２４が着座部２０に着座した締結具２２を用いて室外機用サービスバルブ１５に気密状態で接合連結する場合、異種素材から形成されたアルミニウム材の冷媒管１１の拡管部１０と黄銅材の第１及び第２圧縮リング２３、２４が互いに接触することによってガルバニック（ｇａｌｖａｎｉｃ）腐食することを防止することができる。
【００２１】
これを詳細に説明すれば、拡管部１０が端部に形成された冷媒管１１を締結具２２に貫通させ、拡管部１０を第２圧縮リング２４の第２−１傾斜面２４ａに密着させ、第２圧縮リング２４を締結具２２の着座部２０に着座させる。
【００２２】
サービスバルブ１５の連結ポート１４の端部に形成された第１傾斜面１２にこれに対応するように形成された第１圧縮リング２３の傾斜面３１を密着させ、第１圧縮リング２３の内周面に形成された第１係止段２３ｂにこれに対応するように形成されたシーリング材３０の第２係止段３０ａを密着させる。
【００２３】
シーリング材３０が結合された第１圧縮リング２３を締結具２２の着座部２０に着座させる場合、シーリング材３０の下端は第２圧縮リング２４の収容側壁２４ｃに収容される。
【００２４】
したがって、サービスバルブ１５の第１ネジ部１３にこれに対応するように形成された締結具２２の第２ネジ部１９を螺合させて締結する場合、テフロン材から形成されたシーリング材３０が弾性変形する。
【００２５】
前述したように、サービスバルブ１５に締結具２２を螺合して締結させることにより、サービスバルブ１５の連結ポート１４に冷媒管１１を気密状態で接合連結することができる。
【００２６】
すなわち、サービスバルブ１５の第１ネジ部１３にこれに対応する締結具２２の第２ネジ部１９を螺合させて締結する場合、連結ポート１４の第１傾斜面１２に第１圧縮リング２３の傾斜面３１が密着して隙間を１次にシーリング処理し、冷媒管１１の拡管部１０に第２圧縮リング２４の第２−１傾斜面２４ａが密着して隙間を２次にシーリング処理し、連結ポート１４の底面とシーリング材３０の上面が密着して隙間を３次にシーリング処理することができる。
【００２７】
また、サービスバルブ１５の第１ネジ部１３に締結具２２の第２ネジ部１９を螺合させて締結する場合、冷媒管１１の外側面と密着する第２−１傾斜面２４ａの端部が冷媒管１１の半径方向に圧縮されて（図２に仮想線で図示）弾性変形することによって冷媒管１１の外周面を圧着させるようになる。これにより、締結具２２から冷媒管１１が離脱することを防止することができる。
【００２８】
また、シーリング材３０によって第１及び第２圧縮リング２３、２４と冷媒管１１の拡管部１０が互いに接触することを遮断させることにより、黄銅材から形成された第１及び第２圧縮リング２３、２４とアルミニウム材から形成された冷媒管１１の拡管部１０が互いに接触する場合、異種素材の接触によってガルバニック腐食することを防止することができる。
【００２９】
一方、サービスバルブ１５の連結ポート１４に締結具２２を結合して締結する場合、締結具２２の着座部２０に着座した黄銅材の第１及び第２圧縮リング２３、２４が密着するので、テフロン材のシーリング材３０に圧縮力が必要以上に加わって破損（必要以上の圧縮力が加わって破裂されることを言う）することを防止することができる。
【００３０】
前述したように、本明細書の一実施例によるエアコン用冷媒配管接合装置において、着座部２０に第１及び第２圧縮リング２３、２４が着座した締結具２２をサービスバルブ１５の連結ポート１４に締結する場合、シーリング材３０がサービスバルブ１５の連結ポート１４と冷媒管１１の拡管部１０との間で弾性変形することにより、第１及び第２圧縮リング２３、２４の間の隙間をシーリング処理し、第１及び第２圧縮リング２３、２４と冷媒管１１の拡管部１０が互いに接触することを遮断し、異種素材の接触によってガルバニック腐食することを防止することができるようになる。
【００３１】
図３及び図４に示すように、本明細書の他の実施例によるエアコン室外機用樹脂コーティングアルミニウム配管連結具によれば、
エアコン用冷媒ガスが移動するアルミニウム材の冷媒管１１（外周面に銅材のコーティング層が形成される）と、
中央の貫通ホール１４ａの外側に形成される第１係止段１４ｂと、第１係止段１４ｂの外側端に形成される傾斜面１４ｄと、傾斜面１４ｄの外側端に形成される第２係止段１４ｃとを含み、外周面に第１ネジ部１３が形成される連結ポート１４を含む室外機用サービスバルブ１５と、
サービスバルブ１５の傾斜面１４ｄに対応する傾斜面ａが外周面の一端に形成され、圧縮時に弾性変形して冷媒管１１と連結ポート１４との間の隙間をシーリング処理するための第１圧縮リングＡ（一例として、圧縮時に弾性変形可能なテフロン材から形成されることができる）と、
第１圧縮リングＡが着座する係止段１８ａが内周面に形成され、圧縮時に容易に弾性変形するように外周面に凹溝１８ｂが形成され、凹溝１８ｂの下端に形成され、圧縮時に冷媒管１１の外周面に対して半径方向に弾性変形して締結具２２から冷媒管１１が離脱することを防止するための加圧片１８ｃが形成され、サービスバルブ１５の第２係止段１４ｃに上端が着座する黄銅材の第２圧縮リング１８と、
第１ネジ部１３に対応する第２ネジ部１９が内周面の入口側に形成され、中央に冷媒管１１が貫通するように形成される貫通ホール２２ａと、貫通ホール２２ａの内側端に形成され、第２圧縮リング１８の加圧片１８ｃの傾斜面に対応する傾斜面２２ｂとを含む締結具２２と、を備える。
【００３２】
前述した構成を有する本明細書の他の実施例によるエアコン室外機用樹脂コーティングアルミニウム配管連結具によれば、
図３及び図４のように、前述した第１及び第２圧縮リングＡ、１８が収容されたエアコン用サービスバルブ１５に螺合される締結具２２を用いて冷媒管１１をサービスバルブ１５に気密状態で接合連結することができる。
【００３３】
これを詳細に説明すれば、第１圧縮リングＡを第２圧縮リング１８の内周面に形成された係止段１８ａに着座させて結合する。ここで、第１圧縮リングＡの外周面の一端に形成された傾斜面ａがサービスバルブ１５の傾斜面１４ｄに密着状態で着座し、第２圧縮リング１８の上端がサービスバルブ１５の第２係止段１４ｃに着座する。
【００３４】
締結具２２の貫通ホール２２ａを貫通する冷媒管１１の端部を第２圧縮リング１８及び第１圧縮リングＡに順次貫通させてサービスバルブ１５の第１係止段１４ｂに着座させた後、サービスバルブ１５の第１ネジ部１３にこれに対応する締結具２２の第２ネジ部１９を螺合させて締結する。
【００３５】
前述した冷媒管１１の端部に結合され、内部が空いているシーリング材２５（圧縮時に弾性変形するテフロン材から形成される）をさらに備えることにより、サービスバルブ１５の連結ポート１４に締結具２２を締結させる場合、冷媒管１１の端部と第１係止段１４ｂとの間で弾性変形したシーリング材２５により、冷媒管１１の端部とこれに密着する連結ポート１４の第１係止段１４ｂとの間の隙間を通して冷媒が漏出することを防止することができるようになる。
【００３６】
前述したように、サービスバルブ１５の連結ポート１４に締結具２２を締結する場合、第２圧縮リング１８の圧縮によって弾性変形する第１圧縮リングＡ（圧縮時に弾性変形するテフロン材から形成される）の傾斜面ａがサービスバルブ１５の傾斜面１４ｄに密着した状態で圧縮される。
【００３７】
これにより、テフロン材から形成された第１圧縮リングＡの傾斜面ａが弾性変形し、傾斜面ａの端部が冷媒管１１の外周面にコートされたコーティング層を食い込んで圧縮されるので、冷媒管１１の外周面とサービスバルブ１５の傾斜面１４ｄとの間の隙間を第１圧縮リングＡによってシーリング処理して気密状態を維持することができる。
【００３８】
また、サービスバルブ１５の連結ポート１４に締結具２２を締結する場合、締結具２２の貫通ホール２２ａの内側端に形成された傾斜面２２ｂにより、これに密着する第２圧縮リング１８に形成された加圧片１８ｃを半径方向に圧縮するようになる。
【００３９】
よって、加圧片１８ｃの傾斜面の端部が弾性変形して冷媒管１１の外周面に半径方向に圧着されることにより（図４に仮想線で図示）、締結具２２から冷媒管１１が離脱することを防止することができる。
【００４０】
ここで、第２圧縮リング１８の係止段１８ａと加圧片１８ｃとの間に形成された円筒部（図面符号なし）の外周面に凹溝１８ｂが形成されることにより、サービスバルブ１５の連結ポート１４に締結具２２を締結するとき、第２圧縮リング１８の加圧片１８ｃに半径方向に加わる圧縮力を増大させることができる。
【００４１】
したがって、冷媒管１１の外周面に加わる第２圧縮リング１８の加圧片１８ｃの弾性変形量を増大させることができる。
【００４２】
また、前述した凹溝１８ｂ及び加圧片１８ｃに軸方向に１ヶ所以上に切開形成されるスロット１８ｄをさらに備えることにより、サービスバルブ１５の連結ポート１４に対して締結具２２を締結する場合、スロット１８ｄによって第２圧縮リング１８の加圧片１８ｃで発生する弾性変形量を増大させることができる。
【００４３】
ここで、前述した本明細書では好適な実施例を参照して説明したが、当該技術分野で熟練した当業者は下記の請求範囲に記載した本明細書の思想及び領域から逸脱しない範囲内で本明細書を多様に修正及び変更することができることが理解可能であろう。
【産業上の利用可能性】
【００４４】
前述した構成を有する本発明によれば、エアコン室外機のサービスバルブに冷媒管をワンタッチ方式でシーリング状態で接合連結する場合に有用に活用することができる効果がある。
【符号の説明】
【００４５】
１０    拡管部
１１    冷媒管
１２    第１傾斜面
１３    第１ネジ部
１４    連結ポート
１５    サービスバルブ
１８    第２圧縮リング
２２    締結具
２３    第１圧縮リング
２４    第２圧縮リング
２５    シーリング材
【図１】
2021515176.tif 000003
【図２】
2021515176.tif 000004
【図３】
2021515176.tif 000005
【図４】
2021515176.tif 000006
【手続補正書】
【提出日】令和2年11月18日(2020.11.18)
【手続補正１】
【補正対象書類名】特許請求の範囲
【補正対象項目名】全文
【補正方法】変更
【補正の内容】
【特許請求の範囲】
【請求項１】
端部に拡管部（１０）が形成されるアルミニウム材の冷媒管（１１）と、
端部に第１傾斜面（１２）が形成され、外周面に第１ネジ部（１３）が形成される連結ポート（１４）を含むサービスバルブ（１５）と、
前記第１傾斜面（１２）に対応する傾斜面（３１）の上端に形成される黄銅材の第１圧縮リング（２３）と、
前記拡管部（１０）に対応する第２−１傾斜面（２４ａ）が内側に形成され、前記第２−１傾斜面（２４ａ）の上部に収容側壁（２４ｃ）が延設される黄銅材の第２圧縮リング（２４）と、
前記第１ネジ部（１３）に対応する第２ネジ部（１９）が内周面の入口側に形成され、前記第１及び第２圧縮リング（２３、２４）が着座する着座部（２０）が前記第２ネジ部（１９）の下に形成される締結具（２２）とを、備えるエアコン室外機用樹脂コーティングアルミニウム配管連結具であって、
前記第１圧縮リング（２３）が着座する係止段（３０ａ）が外周面に形成され、前記収容側壁（２４ｃ）に下端が収容され、前記サービスバルブ（１５）の連結ポート（１４）に前記締結具（２２）を締結する場合、前記締結具（２２）の着座部（２０）に着座した黄銅材の第１及び第２圧縮リング（２３、２４）の接触面が密着することにより、前記拡管部（１０）に圧縮力が必要以上に加わって破損することを防止し、前記サービスバルブ（１５）と前記第１圧縮リング（２３）との接触面の間の隙間、前記拡管部（１０）と前記第２圧縮リング（２４）との接触面の間の隙間、及び前記第１及び第２圧縮リング（２３，２４）の間の隙間をシーリング処理し、前記黄銅材のサービスバルブ（１５）及び前記第１及び第２圧縮リング（２３、２４）にアルミニウム材の冷媒管（１１）の拡管部（１０）の上面が直接接触することを遮断するためのシーリング材（３０）を備え、
前記サービスバルブ（１５）の第１ネジ部（１３）に前記締結具（２２）の第２ネジ部（１９）を締結する場合、前記第２圧縮リング（２４）の内周面の下端部がこれと密着する冷媒管（１１）の外周面を半径方向に圧着させることにより、前記締結具（２２）から前記冷媒管（１１）が離脱することを防止することを特徴とする、エアコン室外機用樹脂コーティングアルミニウム配管連結具。
【国際調査報告】
2021515176.tif 000007
2021515176.tif 000008
2021515176.tif 000009
2021515176.tif 000010